(57)【要約】【課題】この発明は、被写体の位置に応じて編集効果を変化させ、写真シールシートの仕上がりのバリエーションを豊富にし、写真シールシート作成のアミューズメント性を向上させた写真シール自動販売方法とその装置を提案することを目的とする。【解決手段】撮像空間内の複数の被写体を照明手段で照明して撮像手段で撮像して撮像画像を作成する撮像処理を許容し、編集対象の画像に対して編集手段で編集して編集画像を作成する編集処理を許容し、所定の画像を出力画像として出力手段で出力する写真シール自動販売方法又は装置に対して、検知手段で複数の前記被写体を検知し、前記検知した複数の被写体の状態に基づいて、前記編集手段の編集条件を変化させる処理を行うようにした。【選択図】図８
2007213084.tif 000002
【特許請求の範囲】
【請求項１】
撮像空間内の複数の被写体を照明手段で照明して撮像手段で撮像して撮像画像を作成する撮像処理を許容し、
編集対象の画像に対して編集手段で編集して編集画像を作成する編集処理を許容し、
所定の画像を出力画像として出力手段で出力する写真シール自動販売方法であって、
検知手段で複数の前記被写体を検知し、
前記検知した複数の被写体の状態に基づいて、前記編集手段の編集条件を変化させる処理を行う
写真シール自動販売方法。
【請求項２】
前記検知した複数の被写体の状態を前記撮像画像に対応させて記憶し、
該撮像画像を編集対象とする編集処理において、該記憶した複数の被写体の状態に基づいて、編集手段の編集条件を変化させる
請求項１記載の写真シール自動販売方法。
【請求項３】
前記検知手段で検知した被写体の状態に基づいて、前記照明手段の照明状態を変化させる処理を行う
請求項１又は２記載の写真シール自動販売方法。
【請求項４】
前記検知手段で検知した被写体の状態に基づいて、前記撮像手段の撮像条件を変化させる処理を行う
請求項１、２又は３記載の写真シール自動販売方法。
【請求項５】
撮像空間内の複数の被写体を照明手段で照明して撮像手段で撮像して撮像画像を作成する撮像処理を許容し、
編集対象の画像に対して編集手段で編集して編集画像を作成する編集処理を許容し、
所定の画像を出力画像として出力手段で出力する写真シール自動販売装置であって、
複数の被写体を検知する検知手段を設け、
前記検知した複数の被写体の状態に基づいて、前記編集手段の編集条件を変化させる制御手段を備えた
写真シール自動販売装置。
【請求項６】
前記検知手段で検知した複数の被写体の状態を前記撮像画像に対応させて記憶する記憶手段を備え、
前記制御手段は、該撮像画像を編集対象とする前記編集手段での編集処理において、該記憶した複数の被写体の状態に基づいて、該編集手段の編集条件を変化させることを特徴とする
請求項５記載の写真シール自動販売装置。
【請求項７】
前記検知手段で検知した被写体の状態に基づいて、前記照明手段の照明状態を変化させる制御手段を備えた
請求項５又は６記載の写真シール自動販売装置。
【請求項８】
前記検知手段で検知した被写体の状態に基づいて、前記撮像手段の撮像条件を変化させる制御手段を備えた
請求項５、６又は７記載の写真シール自動販売装置。
【発明の詳細な説明】
【技術分野】
【０００１】
この発明は、例えばゲームセンターや遊園地、旅館、観光地などの施設に設置し、撮像手段で撮像した画像に落書き等をさせて印刷した写真シールシートを販売するような写真シール自動販売方法とその装置に関する。
【背景技術】
【０００２】
従来、撮像空間の被写体を照明手段で照明して撮像手段で撮像し、該撮像した撮像画像に落書き等をさせて印刷した写真シールシートを販売する写真シール自動販売装置が存在している。
【０００３】
前記写真シール自動販売装置を利用する利用者は複数人のグループであることが多く、またポーズを取って全身を撮像できる写真シール自動販売装置に人気が集まっているため、撮像空間を広く確保する傾向にある。
【発明の開示】
【発明が解決しようとする課題】
【０００４】
しかし、撮像空間が広くなると、例えば被写体が２人で撮像手段に接近して主に顔を撮像する、或いは被写体が４人で撮像手段から離れて全身を撮像する等、撮像の自由度が大きくなるのに対し、被写体の位置や人数等の被写体の状態に関わらず適切な照明効果や撮像効果を得ることは困難であった。
【０００５】
また、例えば被写体の１人は撮像手段に接近し、もう１人は撮像手段から離れた状態で撮像した場合など、分散した被写体の位置に応じて照明効果や撮像効果、編集効果等を変化させることもできなかった。
【０００６】
この発明は、被写体の位置、数、有無等の被写体の状態に応じて編集効果を変化させ、写真シールシートの仕上がりのバリエーションを豊富にし、写真シールシート作成のアミューズメント性を向上させた写真シール自動販売方法とその装置を提案することを目的とする。
【課題を解決するための手段】
【０００７】
この発明は、撮撮像空間内の複数の被写体を照明手段で照明して撮像手段で撮像して撮像画像を作成する撮像処理を許容し、編集対象の画像に対して編集手段で編集して編集画像を作成する編集処理を許容し、所定の画像を出力画像として出力手段で出力する写真シール自動販売方法又はその装置であって、検知手段で複数の前記被写体を検知し、前記検知した複数の被写体の状態に基づいて、前記編集手段の編集条件を変化させる処理を行う写真シール自動販売方法又はその装置であることを特徴とする。
【０００８】
前記編集対象の画像は、前記撮像画像のほか、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像を含む。
【０００９】
前記所定の画像は、前記撮像画像、前記デジタル画像、前記スキャニング画像、及び／又はこれらの画像を編集手段で編集した編集画像であることを含む。  
前記出力手段は、画像を印刷する印刷手段、画像データを送信する通信手段、又は画像データを記憶媒体に書き込む記憶媒体リーダ／ライタであることを含む。  
前記出力画像は、前記所定の画像、又は前記所定の画像を複数配置した画像であることを含む。
【００１０】
前記検知手段は、被写体の重みを検出して被写体が存在するか否かを検知する圧力センサ、近赤外線の反射を検出して被写体が存在するか否かを検知する光学センサ等のセンサであることを含む。  
前記検知手段による検知は、被写体の位置、数、有無等の被写体の状態を検知することを含む。
【００１１】
前記検知した複数の被写体の状態に基づいて、前記編集手段の編集条件を変化させる処理を行うことにより、例えば撮像画像に落書きペンで落書き編集するときに、撮像手段に近づいて撮像した被写体の姿には落書き不能にし、撮像手段から離れて撮像した被写体の姿には落書きできるようにして立体感を出す等、被写体の位置、数、有無等の被写体の状態に基づいた編集効果を得ることができる。
【００１２】
好ましい実施の形態として、前記検知した複数の被写体の状態に基づいて、前記照明手段の照明状態を変化させる処理を行うことができる。
【００１３】
前記照明状態を変化させる処理は、照明手段の光量の変更、照明角度の変更、位置の変更、又は複数の照明手段から照明する照明手段を選択等の制御、又はこれらの複合であることを含む。  
前記構成により、例えば被写体が撮像空間左側にいれば左側の照明手段のみを発光させる、或いは被写体が照明手段から近い時は光量を減少し、被写体が照明手段から遠いときは光量を増加する等、被写体の位置、数、有無等の被写体の状態に基づいた照明効果を得ることができ、無駄な照明光を廃して照明手段を効果的に活用し、消費電力を削減することができる。
【００１４】
好ましい実施の形態として、前記検知した複数の被写体の状態に基づいて、前記撮像手段の撮像条件を変化させる処理を行うことができる。  
前記撮像条件を変化させる処理は、撮像手段の撮像角度の変更、該撮像角度の変更速度・変更範囲の変更、撮像手段の移動、複数の撮像手段から使用する撮像手段の選択等の制御、又はこれらの複合であることを含む。  
前記構成により、例えば被写体が撮像手段から近いときは撮像手段の可動角度を大きく設定し、被写体が撮像手段から遠いときは撮像手段の可動角度を小さく設定するなど、被写体の位置、数、有無等の被写体の状態に基づいた撮像効果を得ることができる。
【発明の効果】
【００１５】
この発明により、広がる傾向にある撮像空間のどこに被写体が存在するか等の被写体の状態を検知して、それに基づいた効果を得た写真シールシートを編集して取得できるようになり、写真シールシートの仕上がりのバリエーションが豊富になって利用者にとってアミューズメント性が向上する。
【００１６】
写真シール自動販売装置を設置する施設の経営者は、アミューズメント性が向上することでリピート客を確保することができ、短縮化される傾向にある写真シール自動販売装置のライフサイクルを長期化し、設備投資に対する利益率を向上することができる。
【発明を実施するための最良の形態】
【００１７】
この発明の一実施形態を以下図面と共に説明する。  
図１は写真シール自動販売機１の外観を表す斜視図であり、写真シール自動販売機１は、枠９でボックス状に囲繞した撮像空間を備え、その正面奥に筐体２を備える。
【００１８】
前記撮像空間の天井には、中央近傍に横長の蛍光灯照明装置１６ａを、その前方にも同様に横長の蛍光灯照明装置１６ｂをそれぞれ設け、該蛍光灯照明装置１６ａ，１６ｂは下向きに光を照射して撮像空間を上から照明する
前記枠９の両側面及び正面は、枠９の上部からカーテン８を吊るして撮像空間を囲繞する（図では右側面と正面のカーテン８を省略）。前記カーテン８は、外部から撮像空間を見えないように遮蔽し、また後述の合成処理のために肌色の補色である青色（例えばアルチマットブルー）のものを使用する。
【００１９】
前記筐体２は、全体を略四角形に構成し、前面の上部中央に被写体３（３Ａ，３Ｄ）を撮像するデジタルカメラ１７ａ，１７ｂを縦に並設する。  
該デジタルカメラ１７（１７ａ，１７ｂ）の両横には、撮像時に被写体３を照明する縦長の長方形に形成した蛍光灯照明装置１６ｅ，１６ｆを備える。
【００２０】
前記筐体２の正面上端には、４つの白熱灯照明装置１５（１５ａ，１５ｂ，１５ｃ，１５ｄ）を並設する。
【００２１】
筐体２の正面中央には、画像を表示するディスプレイ１８を備え、その右横にタッチペン１３ａを備える。前記ディスプレイ１８にはタッチパネル１３ｂを重ねて設け、前記タッチペン１３ａでタッチされた座標を検知するタッチパネル式の入力装置１３（後述）を構成する。  
筐体２の正面下部には、上側に左右に配設した白熱灯照明装置１５ｅ，１５ｆを設け、左側の前記白熱灯照明装置１５ｅの下には硬貨を利用料金として投入する貨幣投入口１４ａを、右側の前記白熱灯照明装置１５ｆの下には写真シールシート５ｃを排出する写真シール排出口１９ａを備える。
【００２２】
筐体２の内部には、図２の部分拡大図（一部断面図）に示すように、右下部正面側にプリンタ１９を備え、該プリンタ１９の背面側に前述の各装置を制御する制御装置１１（後述）を格納したパソコン１０を備える。
【００２３】
前記プリンタ１９には、シール紙ユニット５をセットしており、該シール紙ユニット５はロール状に巻いたシール紙５ａと正規品か否かを識別させる識別データ等のデータを記憶させたＩＤタグ５ｂで構成する。
【００２４】
前記プリンタ１９の背部にはＩＤタグリーダ／ライタ２０を備え付けており、前記ＩＤタグ５ｂに記憶の前記データを読取る。  
なお、前記ＩＤタグ５ｂとシール紙５ａは一体に形成し分離不可にしているが、別体に形成し例えばシール紙５ａはプリンタ１９に、ＩＤタグ５ｂはＩＤタグリーダ／ライタ２０にそれぞれセットするように構成しても良い。
【００２５】
図１に示したように、前述の枠９で囲繞された撮像空間の床面には、被写体３が乗った圧力を検知する１６個のセンサ２１（図示省略）を、４×４の１６面に分割した床面の各領域（領域Ａ１〜Ａ４，領域Ｂ１〜Ｂ４，領域Ｃ１〜Ｃ４，領域Ｄ１〜Ｄ４）に配設する。
【００２６】
以上の構成により、センサ２１で検知する被写体３の位置に基づいて、白熱灯照明装置１５及び蛍光灯照明装置１６の照明を変化させ、デジタルカメラ１７ａ又はデジタルカメラ１７ｂを選択して撮像を実行し、撮像した撮像画像を入力装置１３で編集した編集画像を印刷した写真シールシート５ｃを排出する。
【００２７】
次に、図３に示す回路ブロック図と共に、写真シール自動販売機１の構造について説明する。  
制御装置１１は、ＣＰＵ，ＲＯＭ，ＲＡＭで構成して前述のパソコン１０の内部に設けられ、前記ＲＯＭに格納のプログラムに基づいて前記ＣＰＵで制御処理を実行し、前記ＲＡＭを一時記憶領域として使用する。
【００２８】
入力装置１３は、前述したようにディスプレイ１８ｂ（図１）に重ねて設けられたタッチパネル１３ｂとタッチペン１３ａとにより形成し、利用者にタッチペン１３ａでタッチされた座標を入力信号として制御装置１１に送信する。前記入力信号は、撮像開始や落書き等の動作指示を受取るための信号となる。
【００２９】
貨幣処理装置１４は、コインセレクタ（図示省略）とコイン収納部（図示省略）で構成して前述の貨幣投入口１４ａの内部に設けられ、前記コインセレクタで投入された硬貨の真偽判別、金種判別を行って投入金額を処理信号として制御装置１１に送信し、処理した硬貨を前記コイン収納部に格納する。前記真偽判別、金種判別で正規でないと判断された硬貨はそのまま排出される。  
なお、前記処理信号は、写真シール自動販売機１のプレイを開始する起動信号にもなる。
【００３０】
白熱灯照明装置１５（１５ａ，１５ｂ，１５ｃ，１５ｄ，１５ｅ，１５ｆ）は、制御装置１１からの照明制御信号でＯＮ／ＯＦＦ制御され、ＯＮの間連続発光する。撮像時においては、白熱灯照明装置１５ｅ，１５ｆは常に発光し、白熱灯照明装置１５ａ，１５ｂ，１５ｃ，１５ｄは、被写体３の位置に応じて制御装置１１に選択されたものだけが発光する。
【００３１】
蛍光灯照明装置１６（１６ａ，１６ｂ，１６ｅ，１６ｆ）は、制御装置１１からの照明制御信号でＯＮ／ＯＦＦ制御され、ＯＮの間連続発光する。撮像時においては、蛍光灯照明装置１６ｅ，１６ｆは常に発光し、蛍光灯照明装置１６ａ，１６ｂは、被写体３の位置に応じて制御装置１１に選択されたものだけが発光する。
【００３２】
デジタルカメラ１７（１７ａ，１７ｂ）は、制御装置１１からのシャッタ信号で被写体３の撮像を実行し、撮像前にディスプレイ１８にプレビュー表示するための動画データ、及び撮像した静止画データを画像データとして制御装置１１に送信する。実際の撮像時には、被写体３の位置に基づいて制御装置１１に選択された一方のデジタルカメラ１７を使用する。
【００３３】
ディスプレイ１８は、制御装置１１よりＲＧＢ信号を受信し、該ＲＧＢ信号に基づいて撮像前のプレビュー画像、撮像した撮像画像及び利用者に操作を促すメッセージ画像等の画像を表示する。  
プリンタ１９は、前述の写真シール排出口１９ａの内部に設け、制御装置１１よりプリント画像データを受信して印刷を実行し、前記プリント画像をシール紙５ａに印刷した写真シールシート５ｃを前記写真シール排出口１９ａから排出する。  
ＩＤタグリーダ／ライタ２０は、シール紙ユニット５に備えたＩＤタグ５ｂに記憶されているデータを読出信号で読取り、更新信号で前記データの更新を実行する。これによって、制御装置１１はシール紙ユニット５が正規のものであるか否かを判定し、必要に応じて印刷回数であるカウント数を上書きする等の更新処理を実行する。
【００３４】
センサ２１は、前述したように４×４の１６面に分割した床面の各領域（領域Ａ１〜Ａ４，領域Ｂ１〜Ｂ４，領域Ｃ１〜Ｃ４，領域Ｄ１〜Ｄ４）に配設されており、被写体３が乗った圧力を検出してその検知信号を制御装置１１に送信する。
【００３５】
前記検知信号は、領域Ａ１〜Ａ４（図１）にそれぞれ備えた４つのセンサ２１の検出を領域Ａに対する検知信号としてまとめ、同様に領域Ｂ１〜Ｂ４を領域Ｂ、領域Ｃ１〜Ｃ４を領域Ｃ、領域Ｄ１〜Ｄ４を領域Ｄとして、４つに分割した領域Ａ，Ｂ，Ｃ，Ｄのどの領域に被写体３が存在するのかを表す。
【００３６】
以上の構造により、センサ２１が検知した被写体３の位置に基づいて、制御装置１１は照明する白熱灯照明装置１５及び蛍光灯照明装置１６を選択し、撮像するデジタルカメラ１７を選択して撮像を実行する。制御装置１１は、該撮像した撮像画像に前記センサ２１で検知した被写体３の位置情報を付加して撮像情報を作成し、該撮像情報に対して前記入力手段１３で落書きを行う。
【００３７】
次に、センサ２１の検知した被写体３の位置に基づいて、制御装置１１で制御する白熱灯照明装置１５及び蛍光灯照明装置１６について、図４に示す照明説明図と共に説明する。  
ここで、図中の（Ａ）〜（Ｄ）は写真シール自動販売機１の平面図を表しており、撮像時に常に発光する白熱灯照明装置１５ｅ，１５ｆ及び蛍光灯照明装置１６ｅ，１６ｆについては説明を省略する。
【００３８】
図中の（Ａ）は、被写体３が領域Ａ（Ａ１〜Ａ４）の中に存在することをセンサ２１が検知した場合に発光する照明装置（白熱灯照明装置１５、蛍光灯照明装置１６）を表す。このとき制御装置１１は、図に斜線で表す白熱灯照明装置１５ａ，１５ｂ及び蛍光灯照明装置１６ａをＯＮにして発光させ、他の不要な照明装置、すなわち領域Ａの被写体３を照明しない照明装置を発光させない状態で撮像を実行する。
【００３９】
同様に、図中の（Ｂ）は被写体３が領域Ｂ（Ｂ１〜Ｂ４）の中に存在する場合を表し、白熱灯照明装置１５ｃ，１５ｄ及び蛍光灯照明装置１６ａをＯＮにして撮像を実行する。
【００４０】
図中の（Ｃ）は、被写体３が領域Ｃ（Ｃ１〜Ｃ４）の中に存在する場合を表し、白熱灯照明装置１５ａ，１５ｂ，１５ｃ及び蛍光灯照明装置１６ｂをＯＮにして発光させ、他の不要な照明装置、すなわち領域Ｃの被写体３を照明しない照明装置を発光させない状態で撮像を実行する。
【００４１】
同様に、図中の（Ｄ）は被写体３が領域Ｄ（Ｄ１〜Ｄ４）の中に存在する場合を表し、白熱灯照明装置１５ｂ，１５ｃ，１５ｄ及び蛍光灯照明装置１６ｂをＯＮにして撮像を実行する。
【００４２】
なお、複数の領域にそれぞれ被写体３が存在する場合は、各領域について発光させる照明装置の最大公約数の照明装置を発光させる。例えば、領域Ａ，Ｂに被写体３が存在する場合は、白熱灯照明装置１５ａ，１５ｂ，１５ｃ，１５ｄ及び蛍光灯照明装置１６ａを発光させ、例えば領域Ａ，Ｄに被写体３がいた場合は、白熱灯照明装置１５ａ，１５ｂ，１５ｃ，１５ｄ及び蛍光灯照明装置１６ａ，１６ｂを発光させる。  
以上の制御により、撮像時に必要な照明装置のみを使用して、効果的な照明を得た上で消費電力を削減することができる。
【００４３】
次に、センサ２１の検知した被写体３の位置に基づいて、制御装置１１で制御するデジタルカメラ１７について、図５に示す撮像説明図と共に説明する。  
ここで、図中の（Ｅ）〜（Ｇ）は写真シール自動販売機１の右側面図を表しており、図の点線は撮像範囲を表す。
【００４４】
図中の（Ｅ）は、被写体３が領域Ａ（図１）及び／又は領域Ｂに存在する場合を表しており、このとき制御装置１１は上側のデジタルカメラ１７ａを使用して撮像する。撮像時には前述したように蛍光灯照明装置１６ａ等を発光させ、主に被写体３の顔を撮像する。  
例えば、被写体３（３Ａ）が領域Ａにいて撮像したとすると、その撮像画像には、図６の（Ｈ）に示すように被写体３Ａの上半身（主に顔）が写る。
【００４５】
図中の（Ｆ）は、被写体３が領域Ｃ及び／又は領域Ｄに存在する場合を表しており、このとき制御装置１１は下側のデジタルカメラ１７ｂを使用して撮像する。撮像時には前述したように蛍光灯照明装置１６ｂ等を発光させ、被写体３の全身を撮像する。  
例えば、被写体３（３Ｄ）が領域Ｄにいて撮像したとすると、その撮像画像には、図６の（Ｉ）に示すように被写体３Ｄの全身が写る。
【００４６】
図中の（Ｇ）は、被写体３が領域Ａ又は領域Ｂと領域Ｃ又はＤにそれぞれ存在する場合を表しており、このとき制御装置１１は下側のデジタルカメラ１７ｂを使用して撮像する。撮像時には前述したように蛍光灯照明装置１６ａ，１６ｂ等を発光させ、領域Ａ又は領域Ｂの被写体３は主に顔を、領域Ｃ又はＤの被写体３は全身を撮像する。  
例えば、被写体３Ａが領域Ａに、被写体３Ｄが領域Ｄにいて撮像したとすると、その撮像画像には、図６の（Ｊ）に示すように右側に被写体３Ａの上半身（主に顔）が、左側に被写体３Ｄの全身がそれぞれ写る。  
以上の制御により、被写体３の位置に基づいて最適なデジタルカメラ１７を使用して撮像を行うことができる。
【００４７】
次に、撮像画像に対して編集を行う落書き処理の方法について、図７に示す位置情報の説明図、図８に示す画面イメージ図と共に説明する。
【００４８】
図７に示す位置情報の配列Ｐは、領域Ａ，Ｂ，Ｃ，Ｄ（図１）内に被写体３が存在するか否かを表しており、この順に配列Ｐ［０〜３］に１又は０を格納している。
【００４９】
例えば図１に示したように領域Ａに被写体３Ａが、領域Ｄに被写体３Ｄがそれぞれいたとすると、図７に示すように配列Ｐは、Ｐ［０］＝１，Ｐ［１］＝０，Ｐ［２］＝０，Ｐ［３］＝１となる。
【００５０】
この状態で撮像すると、図６の（Ｊ）で示したように、撮像画像の左側に被写体３Ｄが、右側に被写体３Ａが撮像される。  
前記配列Ｐで形成する位置情報を格納の画像情報を利用して、次に説明するように撮像画像に落書きを実行する。
【００５１】
図８の（Ｌ）に点線で示すように、制御装置１１は、前記撮像画像に落書きを行うとき、左画像１８ａと右画像１８ｂに中央で分割して以降の処理を行う。さらに、左画像１８ａであれば被写体３が領域Ｂ，Ｄのどちらにいたか、右画像１８ｂｃであれば被写体３が領域Ａ，Ｃのどちらにいたかにより、以降の処理内容を変更する。
【００５２】
図中の（Ｍ）に示すように、被写体３が領域Ａ又は領域Ｂにいた場合、制御装置１１は被写体３の撮像に対して、落書きを禁止する範囲にマスクＭを設定する。すなわち、今回はＰ［０］＝１から図中の（Ｌ）に示したように被写体３Ａが領域Ａに存在するため、右画像１８ｂの背景色（青色）と異なる色相部分（つまり被写体３Ａが写っている部分）に落書きを禁じる範囲であるマスクＭ（図の斜線部分）を設定する。なお、左画像１８ａは被写体３Ｄが領域Ｄに存在するため、マスクＭが設定されない。
【００５３】
図中の（Ｎ）に示すように、利用者がタッチペン１３ａ（図１）で線を引くようにして星マーク１８ｃの落書きを行うと、左画像１８ａはマスクＭが設定されていないため通常と同じく背景及び被写体３Ｄの上に星マーク１８ｃが描画される。  
右画像１８ｂは、被写体３Ａが写っている部分にマスクＭが設定されているため、被写体３Ａが写っている部分を避けて描画され、あたかも被写体３Ａと背景の間に星マーク１８ｃが存在するように描画される。
【００５４】
上述の例ではタッチペン１３ａを利用して星マーク１８ｃを描画しているが、図中の（Ｏ）に示すように合成用画像１８ｄを合成することもできる。この場合は、前述のタッチペン１３ａと同様にマスクＭの部分には描画を行わない設定にすることで、被写体３Ａは合成用画像１８ｄの手前に、被写体３Ｄは合成用画像１８ｄの向こう側に存在するように見える画像ができる。
【００５５】
なお、通常の背景色はカーテン８の青色一色であるので、背景画像１８ｅを合成可能に構成してもよい。この場合、被写体３ＤにもマスクＭを設定し、背景画像１８ｅを描画する際にのみ被写体３ＤのマスクＭが有効になるよう設定すれば、図中の（Ｏ）に示したように被写体３Ａ，３Ｄの両方の背景を違和感無く変更することができる。
【００５６】
以上の方法により、制御装置１１は、利用者の位置に基づいてマスクＭを設定し、利用者のタッチペン１３ａによる入力に対してマスクＭ以外の部分の落書きを許容し、各被写体３の前後の立体感を強調できる落書きを可能にする。
【００５７】
次に、写真シール自動販売機１の全体の動作について、図９に示す処理フロー図と共に説明する。  
利用者によって貨幣投入口１４ａ（図１）から硬貨が投入されると、貨幣処理装置１４（図３）によって硬貨の真偽判別、金種判別が実行され、真偽、金種が共に正規である硬貨の投入枚数が処理信号として制御装置１１に送信される。制御装置１１は、前記処理信号から投入枚数をカウントし、必要枚数となれば次のステップに処理を進める（ステップｎ１）。  
制御装置１１は、ディスプレイ１８にＲＧＢ信号を送信して写真シールシート５ｃのレイアウトを複数表示させ、該レイアウトのいずれか１つを利用者に選択させると共に（ステップｎ２）、センサ２１をＯＮにする（ステップｎ３）。
【００５８】
センサ２１は、被写体３（利用者）の位置（例えば領域Ａ，Ｄ）を検知してその検知信号を制御装置１１に送信し、制御装置１１はその位置をＲＡＭ（図示せず）に一時記憶する（ステップｎ４）。
【００５９】
制御装置１１は、図４を用いて前述した照明装置（白熱灯照明装置１５、蛍光灯照明装置１６）の制御を実行し、被写体３の位置に対応して必要な照明装置（この場合は全ての白熱灯照明装置１５及び全ての蛍光灯照明装置１６）を発光させる（ステップｎ５）。
【００６０】
また制御装置１１は、図５を用いて前述したデジタルカメラ１７の制御を実行し、デジタルカメラ１７ａ，１７ｂのうち被写体３の位置に対応した方（この場合は下側のデジタルカメラ１７ｂ）を使用し、ディスプレイ１８に該デジタルカメラ１７（１７ｂ）で撮影している映像を動画表示させると共に撮像開始ボタンを表示させる（ステップｎ６）。
【００６１】
利用者は、ディスプレイ１８を見て撮像ポーズなどの写り具合を確認し、よければ前記撮像開始ボタンを押下する（ステップｎ７）。
【００６２】
制御装置１１は、ディスプレイ１８にカウントダウン表示を行い、該カウントダウンが０になるタイミングでデジタルカメラ１７ｂによる撮像を実行する（ステップｎ９）。
【００６３】
前記撮像による撮像画像をデジタルカメラ１７ｂから画像データとして受取った制御装置１１は、ディスプレイ１８にＲＧＢ信号で送信して前記撮像画像を静止画表示させ、利用者に該撮像画像を確認させてＯＫか否か決定させる（ステップｎ１０）。
【００６４】
ＯＫであれば、前記撮像画像に配列Ｐからなる位置情報（この場合はＰ［０］＝１，Ｐ［１］＝０，Ｐ［２］＝０，Ｐ［３］＝１）を前記撮像画像に付与して撮像情報としてＲＡＭに一時記憶し（ステップｎ１１）、撮像した枚数が所定枚数以内であればステップｎ４に戻って撮像を繰り返す（ステップｎ１２）。
【００６５】
所定枚数の撮像が終了すれば、制御装置１１はセンサ２１をＯＦＦにし（ステップｎ１３）、撮像した撮像画像をディスプレイ１８に表示させる（ステップｎ１４）。
【００６６】
このとき制御装置１１は、撮像情報の位置情報（配列Ｐ）から利用者に落書きさせることを許容する領域の編集（図８を用いて前述したマスクＭの作成）を行い（ステップｎ１５）、落書きさせない領域であるマスクＭを決定する（ステップｎ１６）。
【００６７】
利用者によってディスプレイ１８に表示されている撮像画像から落書き編集する撮像画像を選択されると、その撮像画像の落書き編集に入り、図８を用いて前述したように、マスクＭ以外の部分に対するペンやスタンプによる作画、消しゴムペンによる削除等の落書きを利用者にさせる（ステップｎ１７）。
【００６８】
制御装置１１は、前記落書き編集された編集画像をディスプレイ１８に表示して利用者にＯＫか否か決定させる（ステップｎ１８）。  
前記決定がなされなくても、残り時間がなくなった場合は、強制的にその時点の落書き編集された編集画像を採用して次のステップに進む（ステップｎ１９）。
【００６９】
制御装置１１は、ステップｎ２で選択されたレイアウトに前記編集画像及び／又は前記撮像画像を配置して印刷用画像を作成し、該印刷用画像をプリント画像データとしてプリンタ１９に送信してシール紙５ａに印刷する（ステップｎ２０）。  
プリンタ１９は、印刷した写真シールシート５ｃを写真シール排出口１９ａから排出し（ステップｎ２１）、処理を終了する。
【００７０】
以上の構成、構造、動作により、利用者は適切な照明効果を得て適切なデジタルカメラ１７で撮像された撮像画像に対して、アミューズメント性の高い落書き編集を行うことができ、図１０に示す写真シールシート５ｃのイメージ図のように、その編集画像を印刷した写真シールシート５ｃを得ることができる。
【００７１】
他の実施の形態として、前述のデジタルカメラ１７を上下動可能に形成し、センサ２１を光学センサで形成した場合について説明する。  
図１１は、この実施形態の写真シール自動販売機１の斜視図を表し、先の実施形態と異なって撮像空間の天井にセンサ２１（２０ａ，２０ｂ，２０ｃ，２０ｄ）を配設している。
【００７２】
前記センサ２１ａは、領域Ａ（Ａ１〜Ａ４）に対する近赤外線の反射を検出し、該領域Ａに被写体３が存在するか否かを検知する。同様に、センサ２１ｂは領域Ｂに対して、センサ２１ｃは領域Ｃに対して、センサ２１ｄは領域Ｄに対して被写体３が存在するか否かを検知する。
【００７３】
筐体２の上部中央には、後述するように上下動可能なデジタルカメラ１７ａ，１７ｂを縦に並設する。  
以上の構成により、センサ２１は被写体３が領域Ａ〜Ｄのどこに存在するかを検知することができ、被写体３の位置に対応してデジタルカメラ１７（１７ａ，１７ｂ）を選択・可動することができる。
【００７４】
図１２は、デジタルカメラ１７（１７ａ，１７ｂ）の可動部分であるカメラ可動装置２２の構造を右側面から見た斜視図を表す。  
カメラ可動装置２２は、側面視扇形の可動台２２１、正逆転モータ（パルスモータ）２２４及び歯車２２５によりされており、前記可動台２２１の上部に形成した平面上には、デジタルカメラ１７が固定されている。
【００７５】
前記可動台２２１の扇形円周部の外側には歯車を構成する歯２２３を形成し、扇の要部分には枢軸２２２を形成する。  
前記可動台２２１の下側には、前記歯２２３に対応する歯車２２５を設け、該歯車２２５の軸心に正逆転モータ２２４の回転軸を挿着する。
【００７６】
以上に説明したカメラ可動装置２２（２２ａ，２２ｂ）は、図３の回路ブロック図に仮想線で示すように制御装置１１に接続されており、該制御装置１１からの可動信号に基づいて、正逆転モータ２２４を正回転又は逆回転させて可動する。
【００７７】
これらの物理上及び回路上の構造により、制御装置１１からの可動信号に基づく正逆転モータ２２４の回転力は、歯車２２５を介して可動台２２１に伝達され、該可動台２２１の枢軸２２２を軸として、該可動台２２１と共にデジタルカメラ１７が上下に可動する。
【００７８】
次に、センサ２１の検知した被写体３の位置に基づいて、制御装置１１で制御するデジタルカメラ１７について、図１３に示す撮像範囲説明図と共に説明する。  
ここで、図中の（Ｐ）、（Ｑ）は写真シール自動販売機１の右側面図とカメラ可動装置２２（２２ａ，２２ｂ）の拡大図を表しており、図の点線及び２点斜線は撮像範囲又は撮像方向を表す。
【００７９】
図中の（Ｐ）は、デジタルカメラ１７ａの動作範囲を表しており、デジタルカメラ１７ａが最も上向きのときの撮像範囲を全体図の２点斜線で、最も下向きのときの撮像範囲は、全体図の点線で表している。
【００８０】
デジタルカメラ１７ａを使用するのは、被写体３がデジタルカメラ１７ａに近い領域Ａ（Ａ１〜Ａ４），Ｂ（Ｂ１〜Ｂ４）に存在するときであるため、制御装置１１は拡大図に示すようにデジタルカメラ１７ａが深く上下動するように制御する。このとき、カメラ可動装置２２ａの正逆転モータ２２４が早めに回転するよう制御し、デジタルカメラ１７ａが深い動作範囲を素早く上下動するようにして、利用者の操作感を良くする。
【００８１】
図中の（Ｑ）は、デジタルカメラ１７ｂの動作範囲を表しており、デジタルカメラ１７ｂが最も上向きのときの撮像範囲を全体図の２点斜線で、最も下向きのときの撮像範囲を全体図の点線で表している。
【００８２】
デジタルカメラ１７ｂを使用するのは、被写体３がデジタルカメラ１７ａから遠い領域Ｃ（Ｃ１〜Ｃ４），Ｄ（Ｄ１〜Ｄ４）に存在するときであるため、制御装置１１は拡大図に示すようにデジタルカメラ１７ｂが浅く上下動するように制御する。このとき、カメラ可動装置２２ｂの正逆転モータ２２４が早めに回転するよう制御し、デジタルカメラ１７ｂが浅い動作範囲をゆっくり上下動するようにして、利用者の操作感を良くする。
【００８３】
以上の制御により、被写体３がデジタルカメラ１７に近いときはデジタルカメラ１７の上下動を深く、遠いときはデジタルカメラ１７の上下動を浅くすることで、デジタルカメラ１７を適切な範囲内で上下動させる。
【００８４】
次に、図９で説明した処理フロー図と共に、この実施形態の動作について説明する。  
前述のステップｎ６では、先の実施形態と同一の動作を行うと共に、ディスプレイ１８にデジタルカメラ１７ｂを可動させるカメラ上向きボタンとカメラ下向きボタンを表示させる。
【００８５】
またステップｎ７では、利用者は前記カメラ上向きボタン及びカメラ下向きボタンを操作してデジタルカメラ１７ｂの撮像する方向を調整して、ディスプレイ１８を見て撮像ポーズなどの写り具合を確認し、よければ前記撮像開始ボタンを押下する。
【００８６】
その他のステップに関しては、先の実施形態と同一であるのでその詳しい説明を省略する。  
なお、図１１〜図１３に示すこの実施形態においても、その他の構成、作用、効果については図１〜図１０で示した先の実施例と同様であるから、図１１〜図１３において前図と同一の部分には同一符号を付して、その詳しい説明を省略する。
【００８７】
以上の各実施形態により、利用者が撮像空間のどの位置（領域）にいても最適な照明装置及びデジタルカメラ１７が使用されて美しく撮像することができる。  
また、利用者（被写体３）の位置に応じてクロマキー合成（前述のマスクＭを利用した作画、合成）を利用したバリエーション豊かな編集効果を得た写真シールシート５ｃを、利用者に提供することができる。
【００８８】
なお、カーテン８は白色のものを使用し、撮像画像の明度によって、所定値以上の明るさの部分に対して落書き可能に設定し、これによりクロマキー合成を行う構成にしても良い。
【００８９】
また、カーテン８は、青色や白色に限らず緑色、赤色等の色にしてもよいし、枠９の上辺にカーテンレールを設けて異なる色のカーテン８を準備して、カーテン８を変更可能に構成しても良い。これにより、例えば青い服を着ていた場合に緑色のカーテン８を選択する等、利用者に適応した背景色による精度の高いクロマキー合成を行うことができる。  
また、カーテン８は白色のものを使用して、青色や緑色等の色に発光するクロマキー用蛍光管でカーテン８を照射してもよい。
【００９０】
また、カメラ可動装置２２を左右にも可動するように形成し、デジタルカメラ１７を上下左右に可動させてもよい。  
また、照明装置である白熱灯照明装置１５及び蛍光灯照明装置１６の一部又は前部をストロボ発光するストロボ照明装置に替えても良いし、照明装置の光量及び／又は発光色を変化させるように構成しても良い。
【００９１】
また、前記照明装置を可動するように形成し、不要な照明装置を消灯するのではなく被写体３の存在する方向を照明するように構成しても良い。  
また、前記照明装置は発光体（白熱球、蛍光管又はストロボ球）の前面に拡散板、背面に反射板を設けた照明ボックスで形成し、ソフトな光で被写体３を照明するように形成しても良い。
【００９２】
また、センサ２１で被写体３の総合重量を検知して人数を概算し、それに対応して照明装置の光量を変化させるように構成しても良い。  
また、白熱灯照明装置１５、蛍光灯照明装置１６及びデジタルカメラ１７は、撮像時に使用するものを利用者に選択させるように構成しても良い。この場合は、前述の各実施形態で説明した動作をデフォルトの動作としておき、該動作の後に利用者に選択させることで、利用者が操作しない場合は最適な撮像が行え、利用者が意図して操作した場合のみ照明効果や撮像効果等を変化させることができる。
【００９３】
また、白熱灯照明装置１５及び蛍光灯照明装置１６は、上述の実施形態のように制御装置１１で使用するものをデフォルト決定した後、使用するものを利用者が自由に変更して選択できるように構成しても良い。
【００９４】
また、選択するペンやスタンプの種類によっては、マスクＭの上にも落書きが行えるように設定しても良い。  
また、センサ２１で検知する撮像空間の分割領域の数は、４分割に限らず２分割や６分割や９分割など、様々な分割数に構成しても良い。
【００９５】
この発明の構成と、上述の実施形態との対応において、
この発明の写真シール自動販売装置は、実施形態の写真シール自動販売機１に対応し、
以下同様に、
制御手段は、制御装置１１に対応し、
編集手段は、入力装置１３に対応し、
照明手段は、白熱灯照明装置１５及び蛍光灯照明装置１６に対応し、
撮像手段は、デジタルカメラ１７に対応し、
出力手段は、プリンタ１９に対応し、
検知手段は、センサ２１に対応するも、
この発明は、上述の実施形態の構成のみに限定されるものではなく、多くの実施の形態を得ることができる。
【図面の簡単な説明】
【００９６】
【図１】写真シール自動販売機の斜視図。
【図２】筐体内部の一部拡大図（一部断面図）。
【図３】写真シール自動販売機の回路ブロック図。
【図４】白熱灯照明装置及び蛍光灯照明装置の制御の説明図。
【図５】デジタルカメラの制御の説明図。
【図６】デジタルカメラを制御しての撮像内容の説明図。
【図７】被写体の位置情報の説明図。
【図８】落書き編集時の画面イメージの説明図。
【図９】写真シール自動販売機の処理フロー図。
【図１０】写真シールシートのイメージ図。
【図１１】他の実施形態の写真シール自動販売機の斜視図。
【図１２】カメラ可動装置の斜視図。
【図１３】デジタルカメラの撮像範囲説明図。
【符号の説明】
【００９７】
１…写真シール自動販売機
３…被写体
５…シール紙ユニット
５ａ…シール紙
５ｂ…ＩＤタグ
５ｃ…写真シールシート
１１…制御装置
１３…入力装置
１５…白熱灯照明装置
１６…蛍光灯照明装置
１７…デジタルカメラ
１９…プリンタ
２０…ＩＤタグリーダ／ライタ
２１…センサ
【図１】
2007213084.tif 000003
【図２】
2007213084.tif 000004
【図３】
2007213084.tif 000005
【図４】
2007213084.tif 000006
【図５】
2007213084.tif 000007
【図６】
2007213084.tif 000008
【図７】
2007213084.tif 000009
【図８】
2007213084.tif 000010
【図９】
2007213084.tif 000011
【図１０】
2007213084.tif 000012
【図１１】
2007213084.tif 000013
【図１２】
2007213084.tif 000014
【図１３】
2007213084.tif 000015